(57)【要約】【課題】マスク本来の効果を担保しつつ、マスク装着に伴う耳の痛みを解消すること、衛生的な防寒対策を行うこと、またもしくはこれらの両立を図るネックウォーマーを提供する。【解決手段】本発明に係るネックウォーマーは、マスクと一対に使用されるネックウォーマーであって、ネックウォーマーの側面に設けられた開口部と、マスクをネックウォーマーに装着するマスク装着部とを備え、マスク装着部にマスクが装着されると、開口部がマスクにより覆われて閉口する。【選択図】図８
2019026947.tif 000002
【特許請求の範囲】
【請求項１】
マスクと一対に使用されるネックウォーマーであって、
ネックウォーマーの側面に設けられた開口部と、
前記マスクをネックウォーマーに装着するマスク装着部とを備え、
前記マスク装着部に前記マスクが装着されると、前記開口部が前記マスクにより覆われて閉口すること、
を特徴とするネックウォーマー。
【請求項２】
前記マスク装着部は、ネックウォーマーの裏地に設けられ、一部は前記裏地と固定され、もう一部は面ファスナーにより前記裏地と脱着可能に接着されているポケットであって、
前記面ファスナーを裏地から取り外した状態で、前記マスクが前記開口部を覆って閉口する位置に合わせられてから、前記面ファスナーが前記裏地に再び接着されることで、前記マスクが前記ポケットと前記裏地との間に挟み込まれてネックウォーマーに装着されること、
を特徴とする請求項１に記載のネックウォーマー。
【請求項３】
前記面ファスナーに代えて、スナップボタンが用いられ、
前記ポケットは、一部は前記裏地と固定され、もう一部は前記スナップボタンにより前記裏地と脱着可能に接着されているポケットであること、
を特徴とする請求項２に記載のネックウォーマー。
【請求項４】
前記開口部は、線ファスナーにより形成され、該線ファスナーを開けることで、前記開口部が現れること、
を特徴とする請求項１ないし３何れか一項に記載のネックウォーマー。
【請求項５】
前記開口部が更に通気性素材により覆われていること、
を特徴とする請求項１ないし４何れか一項に記載のネックウォーマー。
【発明の詳細な説明】
【技術分野】
【０００１】
本発明は、ネックウォーマーに関する。
【背景技術】
【０００２】
従来より、病気感染又は飛散予防、花粉対策、もしくは防塵吸入対策等を目的として、マスクが用いられている。一般的なタイプのマスクは、ゴム紐を両側に配して耳にかけて使用するものが多い。
【０００３】
しかしながら、長時間マスクを使用することにより、マスク紐（ゴム紐等）を両耳にかけていることで、痛みや不快を感じることがある。特に、花粉患者などの場合には、長時間継続してマスクの耳紐を両耳にかけるため、慢性的な痛みや不快を我慢しながら装着している場合も少なくない。また子供の場合には、その痛みからマスクをすぐに取り外してしまうこともある。
【０００４】
これに関する技術として、特許文献１、２には、マスク紐の耳に接触する部分にフィルタなど緩衝材を用い、接触による痛みを緩和する発明が記載されている。
【０００５】
一方、冬季の防寒対策として、首回りや顔周りにかけて防寒を行うためのネックウォーマーやマフラーが使用されている。しかしながら、長時間使用するとその裏側が吐息で濡れ気持が悪かったり、乾燥したとしても衛生面で適切でない。
【０００６】
これに関する技術として、特許文献３には、ネックウォーマーの側面に、口の位置に合う場所に切り込み部を設け、使用状態に於いて、顔の下半分は完全に覆われ、呼吸する息は切り込みを通して外部に放出される発明が記載されている。
【先行技術文献】
【特許文献】
【０００７】
【特許文献１】特開２０１４−１２４３９７号公報
【特許文献２】特開２００６−２２３７９２号公報
【特許文献３】特開２０１５−０３０９６０号公報
【発明の概要】
【発明が解決しようとする課題】
【０００８】
しかしながら、特許文献１、２記載の発明においては、マスク紐と耳の接触がある限り、接触している箇所の痛みや不快を依然として感じてしまう場合がある。
【０００９】
また、特許文献３記載の発明においては、口が外気と直接的に接するため、衛生面では好適なものの、病気感染又は飛散予防、花粉対策、もしくは防塵吸入対策等の効果を望むことはできない。
【００１０】
本発明は、上記の点に鑑み提案されたものであり、マスク本来の効果を担保しつつ、一つの側面ではマスク装着に伴う耳の痛みを解消すること、また一つの側面では衛生的な防寒対策を行うこと、またもしくはこれらの両立を目的とする。
【課題を解決するための手段】
【００１１】
上記の課題を解決するため、本発明に係るネックウォーマーは、マスクと一対に使用されるネックウォーマーであって、ネックウォーマーの側面に設けられた開口部と、前記マスクをネックウォーマーに装着するマスク装着部とを備え、前記マスク装着部に前記マスクが装着されると、前記開口部が前記マスクにより覆われて閉口する。
【発明の効果】
【００１２】
本発明の実施の形態によれば、マスク本来の効果を担保しつつ、一つの側面ではマスク装着に伴う耳の痛みを解消すること、また一つの側面では衛生的な防寒対策を行うこと、またもしくはこれらの両立を図るネックウォーマーを提供することができる。
【図面の簡単な説明】
【００１３】
【図１】本実施形態に係るネックウォーマーの表面外観を示す図である。
【図２】本実施形態に係るネックウォーマーの裏面外観１を示す図である。
【図３】本実施形態に係るネックウォーマーの裏面外観２を示す図である。
【図４】本実施形態に係る収納ポケットのマスク装着方法を示す図である。
【図５】本実施形態に係る収納ポケットのマスク装着方法を示す図である。
【図６】本実施形態に係る収納ポケットのマスク装着方法を示す図である。
【図７】本実施形態に係るネックウォーマーの側面外断面を示す図である。
【図８】本実施形態に係るマスク付きネックウォーマーの使用態様を示す図である。
【図９】本実施形態に係る収納ポケットの変形例１を示す図である。
【図１０】本実施形態に係る収納ポケットの変形例２を示す図である。
【図１１】本実施形態に係る開口部の変形例１を示す図である。
【図１２】本実施形態に係る開口部の変形例２を示す図である。
【発明を実施するための形態】
【００１４】
本発明の実施形態について、図面を参照しつつ詳細に説明する。
【００１５】
＜実施形態＞
図１は、本実施形態に係るネックウォーマーの表面外観を示す図である。
【００１６】
本実施形態に係るネックウォーマー１０は、マスク２０と一対に使用されるネックウォーマーである。ネックウォーマー１０は、防寒具としての機能を有する他、ファッションアイテムとしてデザインが施されたものも多い。素材はニットやファーなど多種である。また、本実施形態に係るネックウォーマー１０の側面には、側面素材がくりぬかれるようにして設けられた開口部（マスク用の穴部）１１が設けられている。
【００１７】
マスク２０は、使いきりの交換可能なタイプのマスクを用いる。また、マスク２０は、使用者の口や鼻を覆うにあたり、耳にマスク本体を装着（固定）するためゴム素材等の耳紐を備える。
【００１８】
マスク２０の形状は、例えば平面的な平型マスク、立体的になるプリーツ構造を採用したプリーツ型マスク、顔のラインに沿った形状で密着性を高めた立体型マスクなどのタイプがある。本実施形態においては平型マスクを用いるが、他のタイプでもよい。また、マスク２０にはデザイン性の観点から、マスクの表面において図柄、絵、キャラクターなどが描かれてもよい。また、マスクの白地表面の場合、使用者自身が好きな手書き絵をマスクの表面に書き込んでもよい。
【００１９】
図２は、本実施形態に係るネックウォーマーの裏面外観１を示す図である。
【００２０】
図２に示されるように、本実施形態に係るネックウォーマー１０は、使用者の肌と接触する裏地（裏面）において、開口部１１の周囲に沿うようにして、マスク装着部としての収納ポケット１２が設けられている。
【００２１】
収納ポケット１２は、一部（下部）はネックウォーマー１０の本体と縫い目（ステッチ）１２ａで縫い付けられて固定されているとともに、収納ポケット１２の一部（上部）は面ファスナー１２ｂと脱着可能に接着されている。面ファスナー１２ｂは、面的に着脱できるファスナーであって、布に特殊な加工をし、主に衣類用に、再び脱着可能な状態で結合したい場合に用いられる。マジックテープ（登録商標）などとしても知られる。
【００２２】
収納ポケット１２の素材は、ネックウォーマー１０の本体と縫い付け可能な布地等である。特に肌感が高いものが望ましい。
【００２３】
図３は、本実施形態に係るネックウォーマーの裏面外観２を示す図である。
【００２４】
面ファスナー１２ｂとの接着部を剥がすことで、収納ポケット１２の一部をネックウォーマー１０の裏地から取り外せるようになっている。
【００２５】
図４〜６は、本実施形態に係る収納ポケット１２のマスク装着方法を示す図である。
【００２６】
使用者はネックウォーマー１０の収納ポケット１２にマスク２０を装着する場合、面ファスナー１２ｂの接着部を裏地から取り外した状態で、収納ポケット１２に、マスク２０が開口部１１を覆って閉口する位置になるように合わせる（図５）。
【００２７】
なお、マスク２０の耳紐はカットするなどして除去すると望ましいが、耳紐が付いたままでもよい。
【００２８】
使用者は、収納ポケット１２にマスク２０を合わせたならば、面ファスナー１２ｂを元の裏地に再び接着させることで、収納ポケット１２と裏地との間に挟み込むようにして、ネックウォーマー１０にマスク２０を収納・装着する（図６）。これにより開口部１１はマスク２０により覆われて閉口し、外気等とは直接的には遮断される。使用者は収納ポケット１２にマスク２０を装着後、ネックウォーマー１０の裏地を折り返し、使用者の肌と接触しない表地（表面）が表にくるよう元の状態に戻す（図１）。
【００２９】
図７は、本実施形態に係るネックウォーマーの側面外断面を示す図である。
【００３０】
収納ポケット１２は、一部はネックウォーマー１０の裏地と縫い目１２ａで縫い付けられて固定されており、マスク２０の収納時には収納ポケット１２の上部が面ファスナー１２ｂから剥がされることで、裏地との間にマスク２０を収納するための隙間ができる。
【００３１】
図８は、本実施形態に係るマスク付きネックウォーマーの使用態様を示す図である。
【００３２】
図８に示されるように、ネックウォーマー１０は従来通り首を通して使用されるが、使用者の口及び鼻の部分は、ネックウォーマー１０の側面素材ではなくマスク２０と重なって覆われており、使用者はマスク２０を通じて口及び鼻等を保護することが可能となっている。
【００３３】
また、使用者はマスクの非必要時においては、ネックウォーマー１０を口及び鼻の部分を覆わない状態で使用し（単に首に通しただけの状態）、マスクの必要時において、図７のようにネックウォーマー１０を口及び鼻の位置まで持ち上げて、口及び鼻の部分をマスク２０で覆い保護することも可能である。
【００３４】
このように、本実施形態に係るマスク付きネックウォーマー１０は、マスク２０と一対に使用され、ネックウォーマー１０の側面にマスク２０を簡単に取り付けたり取り外したりと収納することが可能である。
【００３５】
このため、使用者は本実施形態に係るマスク付きネックウォーマー１０を使用することにより、防寒対策を行いつつ、病気感染又は飛散予防、花粉対策、もしくは防塵吸入対策等のマスク本来の効果を担保できる。また、マスク付きネックウォーマー１０は、耳紐との接触がないため、使用者マスク装着に伴う耳の痛みを解消することができる。また、マスク２０は容易に交換可能であるため、ネックウォーマー１０を衛生的に保つことができる。
【００３６】
即ち、上述の本実施形態によれば、マスク本来の効果を担保しつつ、マスク装着に伴う耳の痛みを解消すること、衛生的な防寒対策を行うこと、またもしくはこれらの両立を図ることが可能である。
【００３７】
＜変形例＞
図９は、本実施形態に係る収納ポケット１２の変形例１を示す図である。
【００３８】
図２と比べると、収納ポケット１２のサイドが更に面ファスナー１２ｂ’により脱着可能に接着されている。これによりマスク２０の収納時、マスクがよりずれにくい。
【００３９】
図１０は、本実施形態に係る収納ポケット１２の変形例２を示す図である。
【００４０】
図２と比べると、面ファスナー１２ｂに代えて、収納ポケット１２はスナップボタン１２ｄにより脱着可能に接着されている。マスク２０の収納時、スナップボタン１２でマスクごと挟み込むようにして収納すればマスクがよりずれにくい。
【００４１】
図１１は、本実施形態に係る開口部１２の変形例１を示す図である。
【００４２】
上述したように、本実施形態に係るネックウォーマー１０の側面には、側面素材がくりぬかれるようにした開口部１１が設けられているが、更に開口部１１を、例えば薄いメッシュ素材（図１１（Ａ））や通気性のよい生地素材（図１１（Ｂ））など、通気性の高い素材で覆うようにする。
【００４３】
マスクの使用時においては、通気性を含め上述と変わりなく好適に使用可能であると共に、ネックウォーマーとして用いる際の意匠性を向上させうる。一方、マスクの非使用時においては、口や鼻を軽度に覆うことができる。
【００４４】
図１２は、本実施形態に係る開口部１１の変形例２を示す図である。
【００４５】
図１と比べると、ネックウォーマー１０の側面の開口部１１が線ファスナー１１ａにより作られており、マスクの非使用時において、開口部１１が閉じられている構造である。一方マスクの使用時においては、線ファスナー１１ａを開けることで、図１と同様の開口部１１が現れる。なお、線ファスナー１１ａは線上に並んだ務歯が噛み合うことで両側を固定するもので、ジッパー（登録商標）、チャック（登録商標）とも知られている。
【００４６】
これにより、マスクの非使用時において、開口部１１を閉口させることで、ネックウォーマーとして用いる際の意匠性を高める。
【００４７】
以上、本実施形態によれば、マスク本来の効果を担保しつつ、マスク装着に伴う耳の痛みを解消すること、衛生的な防寒対策を行うこと、またもしくはこれらの両立を図るネックウォーマーを提供することが可能である。
【００４８】
なお、本発明の好適な実施の形態により、特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【００４９】
例えば、ネックウォーマー１０に代えて、首に巻くもの防寒具としてのマフラーに本発明を適用することも可能である。図２と同じように、マフラーに開口部を設け、使用者の肌と接触する裏地（裏面）において、開口部の周囲に沿うようにして、マスク装着部としての収納ポケット１２が設けられる。
【００５０】
また、マスク装着部としての収納ポケット１２は、図２のように使用者の肌と接触する裏地（裏面）に設ける他、使用者の肌と接触しない表地（表面）の側に設けるようにしてもよい。
【符号の説明】
【００５１】
１０          ネックウォーマー
１１          開口部
２０          マスク
【図１】
2019026947.tif 000003
【図２】
2019026947.tif 000004
【図３】
2019026947.tif 000005
【図４】
2019026947.tif 000006
【図５】
2019026947.tif 000007
【図６】
2019026947.tif 000008
【図７】
2019026947.tif 000009
【図８】
2019026947.tif 000010
【図９】
2019026947.tif 000011
【図１０】
2019026947.tif 000012
【図１１】
2019026947.tif 000013
【図１２】
2019026947.tif 000014